(57)【要約】【課題】図柄表示による遊技者に訴える力の向上を図る。【解決手段】始動入賞による抽選処理の結果として確変や時短などの特別遊技が抽選された場合、図柄表示器５７とは別体の回胴図柄表示体６２を備えた特別遊技表示器１５が当該抽選された特別遊技を表示することで、図柄表示器５７で当たりや外れを表示するための図柄の種類を少なくすることなく、特別遊技表示器１５で確変や時短などの特別遊技を表示し、通常の当たりや外れの図柄表示と特別遊技の図柄表示とを適切に行う一方、回胴図柄表示体６２を半球形の前カバー６５で被覆すれば、回胴図柄表示体６２を球との衝突から保護することができる。【選択図】        図１
2004147956.tif 000002
【特許請求の範囲】
【請求項１】
始動入賞部品への球の入賞で抽選処理および図柄表示器による図柄変動を行った後に、抽選処理の結果を反映すべく上記図柄変動を停止するパチンコ機において、抽選処理の結果として図柄停止後に開始される特別遊技が抽選されたことを表示する回胴図柄表示体を有する特別遊技表示器を備えたことを特徴とするパチンコ機。
【請求項２】
遊技領域が遊技釘の設けられたゲージ領域と遊技釘の設けられていない非ゲージ領域とに二分された非対称に構成され、特別遊技表示器が非ゲージ領域に設けられたことを特徴とする請求項１記載のパチンコ機。
【請求項３】
特別遊技表示器が回胴図柄表示体を被覆するとともに遊技領域より前側に突出する半球形な前カバーを備えたことを特徴とする請求項１記載のパチンコ機。
【発明の詳細な説明】
【０００１】
【発明の属する技術分野】
本発明は始動入賞部品に伴う遊技を行うパチンコ機に関する。
【０００２】
【従来の技術】
従来のパチンコ機は始動入賞部品への球の入賞で抽選処理および図柄表示器による図柄変動を行った後に、抽選処理の結果を反映すべく上記図柄変動を停止する一方、抽選処理の結果として図柄停止後に開始される確変（確率変動）や時短（時間短縮）などの特別遊技が抽選されたことを表示して遊技者に報知している。
【０００３】
【発明が解決しようとする課題】
しかしながら、前記従来例は、特別遊技が抽選されたことを図柄表示器に停止した確定図柄で表示する構造であるので、特別遊技以外の当たりや外れを表示するための図柄の種類が少なくなり、図柄表示による遊技者に訴える力に欠けるという問題点があった。そのようなことから、特別遊技以外の当たりや外れを表示するための図柄の種類を少なくすることなく、特別遊技を表示する図柄を増加することも考えられるけれども、図柄表示器に多種の図柄を表示するためのデーター量が多くなり、にわかに採用しがたいものである。
【０００４】
そこで、本発明は、当たりや外れを表示するための図柄の種類を少なくすることなく、特別遊技を適切に表示して、図柄表示による遊技者に訴える力を向上することができるパチンコ機を提供するものである。
【０００５】
【課題を解決するための手段】
本発明にあっては、始動入賞部品への球の入賞で抽選処理および図柄表示器による図柄変動を行った後に、抽選処理の結果を反映すべく上記図柄変動を停止するパチンコ機において、抽選処理の結果として図柄停止後に開始される特別遊技が抽選されたことを表示する回胴図柄表示体を有する特別遊技表示器を備えたことによって、始動入賞による抽選処理の結果として確変や時短などの特別遊技が抽選された場合、図柄表示器とは別体の特別遊技表示器が当該抽選された特別遊技を表示するので、図柄表示器で当たりや外れを表示するための図柄の種類を少なくすることなく、特別遊技表示器で確変や時短などの特別遊技を表示し、通常の当たりや外れの図柄表示と特別遊技の図柄表示とを適切に行い、遊技者に訴える力を向上することができる。また、本発明にあっては、遊技領域が遊技釘の設けられたゲージ領域と遊技釘の設けられていない非ゲージ領域とに二分された非対称に構成され、特別遊技表示器が非ゲージ領域に設けられれば、遊技者が非ゲージ領域による球飛びと非ゲージ領域による球の流れとを明確に使い分けた遊技を堪能することができる。また、本発明にあっては、特別遊技表示器が回胴図柄表示体を被覆するとともに遊技領域より前側に突出する半球形な前カバーを備えれば、遊技領域を流下した球が特別遊技表示器の半球形な前カバーに絡んでその流路を変更することができるとともに、回胴図柄表示体を球との衝突から保護することができる。
【０００６】
【発明の実施の形態】
図１−図４は一実施形態であって、図１は遊技盤１の正面を示し、図２は特別遊技表示器１５の断面を示し、図３は回胴図柄表示体６２の外観を示し、図４はパチンコ機の正面を示す。
【０００７】
図４を参照し、パチンコ機について説明する。パチンコ機の遊技機枠５１は前面にガラスのような透過性パネル５２、皿５３、ハンドルグリップと呼ばれる球発射操作機構５４を備え、内部に球発射機構５５や遊技主体である遊技盤１を備え、遊技機枠５１の裏側または遊技盤１の裏側に制御装置５６を備える。遊技機枠５１に格納された遊技盤１は遊技機枠５１の前側から透過性パネル５２を通して視認し得る遊技領域３に始動入賞部品１１、図柄表示器５７、可変入賞部品１２、特別遊技表示器１５などを備える。
【０００８】
そして、制御装置５６が電力供給で起動し、球が皿５３に入れられた状態において、遊技者が球発射操作機構５４を操作すると、その操作量に応じて制御装置５６が球発射機構５５を駆動する。その駆動により球発射機構５５が皿５３から供給された球を１個ずつ遊技領域３に向けて発射する。遊技領域３に発射された球が始動入賞部品１１に入賞し、始動入賞球検出器５８が始動入賞部品１１に入賞した球を検出して始動入賞信号を制御装置５６に出力すると、制御装置５６が抽選処理および図柄変動処理を実行する。制御装置５６からの図柄変動処理による出力で図柄表示器５７が図柄変動を開始した後に抽選結果を反映すべく停止する。
【０００９】
例えば、抽選処理の結果として外れが抽選されている場合は、図柄表示器５７で停止した確定図柄が当たり図柄以外となった後に始動入賞に伴う大当たり遊技を行わない。抽選処理の結果として当たりが抽選されている場合は、図柄表示器５７で停止した確定図柄が当たり図柄で揃った後に、制御装置５６が大当たり処理で開閉駆動源５９を駆動し、その駆動で開閉駆動源５９が可変入賞部品１２の開閉体３３を所定回数または所定時間だけ開閉する。
【００１０】
特に、抽選処理の結果として当該始動入賞に伴う図柄変動や大当たりの一連の遊技終了後に開始される始動入賞に伴う一連の遊技に対する確変や時短などの特別遊技が抽選されている場合は、上記図柄表示器５７による図柄変動が停止して確定した後に、制御装置５６が特別遊技表示器１５の図柄駆動源としてのステップモータ６１を駆動し、その駆動で特別遊技表示器１５の回胴図柄表示体６２を回転して抽選結果としての確変を表わす確変表示図柄６３または時短を表わす時短表示図柄６４を遊技者から見える前側となるように停止する。確変表示図柄６３、時短表示図柄６４は図３参照。
【００１１】
図１を参照し、遊技盤１について説明する。遊技盤１は前面である意匠盤面に球発射通路２と遊技領域３とを備える。球発射通路２は球発射機構５５から発射された球を遊技領域３に導くようにガイドレール４の外側部分と内側部分との間に形成された通路である。遊技領域３はゲージ領域５と非ゲージ領域６とに二分された非対称に構成される。ゲージ領域５は球発射通路２に近い左側に配置される。ゲージ領域５には障害釘とも呼ばれる多数本の遊技釘７、ゲートと呼ばれる球通過形の入賞部品８、風車９、サイドランプ１０、始動入賞部品１１、アタッカーや大入賞口と呼ばれる可変入賞部品１２、ハートと呼ばれるアウト口１３などの部品が設けられる。非ゲージ領域６は遊技釘７の設けられていない領域であって、球発射通路２から離れた右側に配置される。非ゲージ領域６にはセンター飾り１４や回胴形の特別遊技表示器１５が設けられる。始動入賞部品１１は電動チューリップに類似する形態になっている。
【００１２】
センター飾り１４は遊技領域３の中央部および右上半分を覆う大形であって、前方に開放された中央凹部１８に透過性パネル１９を備え、中央凹部１８の上部に光演出部２０；２１を備え、中央凹部１８の下部にステージ２２を備え、中央凹部１８の左側に周壁２３および球取込部２４を備え、中央凹部１８の右側に固定形のフィギュア２５を備える。透過性パネル１９の裏側には液晶表示器のような図柄表示器５７が配置される。光演出部２０；２１と周壁２３およびフィギュア２５はセンター飾り１４の外側から中央凹部１８の方向に向かう球を阻止するように突出した形態である。
【００１３】
光演出部２０はシャッター２７が裏側に設けられた図外の駆動機構で９０度に回転して開くことによって光演出部２０の内部で点灯した図外の表示灯の光が開いたシャッター２７の隙間から前側に透過する、所謂、モールス信号を光で発信する場合に用いられる信号灯のような形態である。ステージ２２は球取込部２４からワープ入口２８およびワープ通路２９を経由して排出された球を振分部３０で中央球出口３１と左右球落下部３２とのいずれかに振り分ける。ステージ２２における中央球出口３１に振り分けられた球は当該中央球出口３１から真下の始動入賞部品１１の図外の入賞口に向けて落下する。ステージ２２における左右球落下部３２に振り分けられた球は当該左右球落下部３２から始動入賞部品１１の入賞口よりも左右に外れた位置に向けて落下する。また、ガイドレール４とセンター飾り１４との間には球通路３９を備える。
【００１４】
図２を参照し、特別遊技表示器１５の内部構造について説明する。ステップモータ６１で回転する回胴図柄表示体６２の前部は半球形な前カバー６５で被覆される。前カバー６５は無色または有色な透過性を有する合成樹脂で半球形に形成され、前カバー６５の周縁部が遊技盤１の遊技領域３に図外の木ねじのような止ねじで取り付けられる特別遊技表示器１５のフランジ６６に結合され、当該フランジ６６が遊技盤１に取り付けられることによって、前カバー６５が遊技領域３よりも前方に突出する。
【００１５】
また、フランジ６６が遊技盤１に取り付けられることによって、回胴図柄表示体６２の球形の外周面の一部が遊技領域３よりも前方に突出し、回胴図柄表示体６２の残部が遊技盤１に形成された貫通孔６７および遊技盤１の裏側に突出する。回胴図柄表示体６２の回転中心を構成する支持軸６８はフランジ６６に組み付けられた図外の支持体に回転可能に支持され、支持軸６８には支持体に取り付けられたステップモータ６１の出力軸が連結される。これによって、ステップモータ６１で回胴図柄表示体６２が回転・停止する。
【００１６】
図３を参照し、回胴図柄表示体６２について説明する。回胴図柄表示体６２は球体の中心部を通る相対峙する平行な２つの面で構成された左右の平坦面７１を有し、左右の平坦面７１の中心部から外側に直線的に延びる支持軸６８を備える。支持軸６８と回胴図柄表示体６２とは一緒に回転するように結合される。回胴図柄表示体６２の球形な外周面には仮想線で示した確変表示図柄６３や時短表示図柄６４などの特別遊技表示図柄７２を備える。
【００１７】
本実施形態の構造によれば、図柄表示器５７と特別遊技表示器１５とが別々に構成されており、始動入賞による抽選処理の結果として確変や時短などの特別遊技が抽選された場合、特別遊技表示器１５が当該抽選された特別遊技を表示するので、図柄表示器５７で当たりや外れを表示するための図柄の種類を少なくすることなく、特別遊技表示器１５で確変や時短などの特別遊技を表示し、通常の当たりや外れの図柄表示と特別遊技の図柄表示とを適切に行い、遊技者に訴える力を向上することができる。また、特別遊技表示器１５が回胴図柄表示体６２および前カバー６５を備えた状態で非ゲージ領域６に設けられているので、球通路３９を流下した球が特別遊技表示器１５の半球形な前カバー６５に絡んでその流路を変更することができる。回胴図柄表示体６２が前カバー６５で被覆されているので、回胴図柄表示体６２を球との衝突から保護することができる。
【図面の簡単な説明】
【図１】一実施形態の遊技盤を示す正面図。
【図２】同実施形態の特別遊技表示器を示す断面図。
【図３】同実施形態の回胴図柄表示体を示す斜視図
【図４】同実施形態のパチンコ機を示す正面図。
【符号の説明】
３  遊技領域
５  ゲージ領域
６  非ゲージ領域
７  遊技釘
１１  始動入賞部品
１５  特別遊技表示器
６２  回胴図柄表示体
６５  前カバー
【図１】
2004147956.tif 000003
【図２】
2004147956.tif 000004
【図３】
2004147956.tif 000005
【図４】
2004147956.tif 000006